(57)【要約】【課題】構成の追加を極力少なくしつつ、簡単な操作で、２つの機器の関連付け情報を認証サーバに保有させることができる情報処理方法及び情報処理システムを提供する。【解決手段】情報処理方法では、携帯機器１からネットワーク機器２に、携帯機器ＩＤとメールアドレスとを送信し（Ｓ１０１）、ネットワーク機器２からサーバ６に、携帯機器ＩＤとメールアドレスとネットワーク機器ＩＤとを送信し（Ｓ１０２）、携帯機器１が、サーバ６から携帯機器１とネットワーク機器２との関連付け確認のためのメールを受信し（Ｓ１０３）、携帯機器１がサーバ自身のサイト又はサーバと共に関連付け確認処理を行うサイトにアクセスし、関連付け確認を示す情報を送信し（Ｓ１０５〜Ｓ１０８）、携帯機器１及び／又はネットワーク機器２が、サーバ６から送信された、関連付け情報を保有する処理が完了したことを通知する情報を受信する（Ｓ１０９〜Ｓ１１１）。【選択図】図５
2010282357.tif 000002
【特許請求の範囲】
【請求項１】
固有の第１の識別情報とメールアドレスとを記憶し、前記第１の識別情報と前記メールアドレスとを送信し、サーバとネットワークを経由して通信可能な第１の機器と、固有の第２の識別情報を記憶し、前記第１の機器から送信された情報を受信し、前記サーバとネットワークを経由して通信可能な第２の機器とを備えるシステムにおける、情報処理方法であって、
前記第１の機器から前記第２の機器に、前記第１の識別情報と前記メールアドレスとを送信するステップと、
前記第２の機器からネットワークを経由して前記サーバに、前記第１の識別情報と前記メールアドレスと前記第２の識別情報とを送信するステップと、
前記第１の機器が、前記サーバからネットワークを経由して前記メールアドレスを宛先として送信された、前記第１の機器と前記第２の機器との関連付け確認のためのメールを受信するステップと、
前記第１の機器が、ネットワークを経由して前記サーバ自身のサイト又は前記サーバと共に関連付け確認処理を行うサイトにアクセスし、前記サーバに対し、前記関連付け確認を示す情報を送信するステップと、
前記第１の機器及び／又は前記第２の機器が、前記サーバから送信された、前記関連付け情報を保有する処理が完了したことを通知する情報を受信するステップと
を有することを特徴とする情報処理方法。
【請求項２】
前記第１の機器から前記第２の機器に対する情報の送信は、赤外線により行うことを特徴とする請求項１に記載の情報処理方法。
【請求項３】
前記関連付け確認のためのメールは、前記サーバ自身のサイトのＵＲＬ又は前記サーバと共に関連付け確認処理を行うサイトのＵＲＬを含み、
前記第１の機器による前記サイトへのアクセスは、前記ＵＲＬを用いて行われる
ことを特徴とする請求項１又は２に記載の情報処理方法。
【請求項４】
固有の第１の識別情報とメールアドレスとを記憶し、前記第１の識別情報と前記メールアドレスとを送信し、サーバとネットワークを経由して通信可能な第１の機器と、固有の第２の識別情報を記憶し、前記第１の機器から送信された情報を受信し、前記サーバとネットワークを経由して通信可能な第２の機器とを備えるシステムにおける、情報処理方法であって、
前記第１の機器から前記第２の機器に、前記第１の識別情報を送信するステップと、
前記第２の機器が、前記第１の機器と前記第２の機器との関連付けを行うための処理を特定する関連付けＩＤを生成するステップと、
前記第２の機器が、前記第１の識別情報と前記第２の識別情報と前記関連付けＩＤとをネットワークを経由して前記サーバに送信するステップと、
前記第２の機器が、前記関連付けＩＤを前記第２の機器の表示器に表示するステップと、
前記第１の機器から前記サーバに、前記第１の機器の入力部から入力された前記関連付けＩＤを送信するステップと、
前記第１の機器及び／又は前記第２の機器が、前記第２の機器から受信した前記関連付けＩＤと前記第１の機器から受信した前記関連付けＩＤとが一致すると判断した前記サーバから送信された、前記関連付け情報を保有する処理が完了したことを通知する情報を受信するステップと
を有することを特徴とする情報処理方法。
【請求項５】
前記第１の機器から前記第２の機器に対する情報の送信は、赤外線により行うことを特徴とする請求項４に記載の情報処理方法。
【請求項６】
前記第１の機器から前記サーバへの前記関連付けＩＤの送信は、前記第１の機器による前記サーバ自身のサイト又は前記サーバと共に関連付け確認処理を行うサイトへのアクセス画面を用いて行われる
ことを特徴とする請求項４又は５に記載の情報処理方法。
【請求項７】
サーバとネットワークを経由して通信可能な第１の機器と、
前記サーバとネットワークを経由して通信可能な第２の機器と
を備える情報処理システムであって、
前記第１の機器は、
固有の第１の識別情報とメールアドレスとを記憶する第１の記憶部と、
前記第１の識別情報と前記メールアドレスとを送信する送信部と、
前記サーバとネットワークを経由して通信可能な第１のネットワーク通信部と、
第１の制御部とを有し、
前記第２の機器は、
固有の第２の識別情報を記憶する第２の記憶部と、
前記第１の機器から送信された情報を受信する受信部と、
前記サーバとネットワークを経由して通信可能な第２のネットワーク通信部と、
第２の制御部とを有し、
前記第１の制御部は、前記第１の機器の前記送信部から前記第２の機器の前記受信部に、前記第１の識別情報と前記メールアドレスとを送信させる処理を行い、
前記第２の制御部は、前記第２の機器の前記第２のネットワーク通信部からネットワークを経由して前記サーバに、前記第１の識別情報と前記メールアドレスと前記第２の識別情報とを送信させる処理を行い、
前記第１のネットワーク通信部は、前記サーバからの前記メールアドレスを宛先とする、前記第１の機器と前記第２の機器との関連付け確認のためのメールを受信し、
前記第１の制御部は、前記第１のネットワーク通信部に、ネットワークを経由して前記サーバ自身のサイト又は前記サーバと共に関連付け確認処理を行うサイトにアクセスさせ、前記サーバに対し、前記関連付け確認を示す情報を送信させる処理を行い、
前記第１の機器の前記第１のネットワーク通信部及び／又は前記第２の機器の前記第２のネットワーク通信部が、関連付け情報を保有する処理が完了したことを通知する前記サーバからの情報を受信する
ことを特徴とする情報処理システム。
【請求項８】
前記第１の機器の前記送信部から前記第２の機器の前記受信部に対する情報の送信は、赤外線により行うことを特徴とする請求項７に記載の情報処理システム。
【請求項９】
前記関連付け確認のためのメールは、前記サーバ自身のサイトのＵＲＬ又は前記サーバと共に関連付け確認処理を行うサイトのＵＲＬを含み、
前記第１の機器の前記第１のネットワーク通信部による前記サイトへのアクセスは、前記ＵＲＬを用いて行われる
ことを特徴とする請求項７又は８に記載の情報処理システム。
【請求項１０】
サーバとネットワークを経由して通信可能な第１の機器と、
前記サーバとネットワークを経由して通信可能な第２の機器と
を備える情報処理システムであって、
前記第１の機器は、
固有の第１の識別情報を記憶する第１の記憶部と、
前記第１の識別情報を送信する送信部と、
前記サーバとネットワークを経由して通信可能な第１のネットワーク通信部と、
入力部と、
第１の制御部とを有し、
前記第２の機器は、
固有の第２の識別情報を記憶する第２の記憶部と、
前記第１の機器から送信された情報を受信する受信部と、
前記サーバとネットワークを経由して通信可能な第２のネットワーク通信部と、
表示器と、
第２の制御部とを有し、
前記第１の制御部は、前記第１の機器の前記送信部から前記第２の機器の前記受信部に、前記第１の識別情報を送信させる処理を行い、
前記第２の制御部は、前記第１の機器と前記第２の機器との関連付けを行うための処理を特定する関連付けＩＤを生成する処理を行い、
前記第２の制御部は、前記第２のネットワーク通信部に、前記第１の識別情報と前記第２の識別情報と前記関連付けＩＤとをネットワークを経由して前記サーバに送信させる処理を行い、
前記第２の制御部は、前記表示器に、前記関連付けＩＤを表示させるための処理を行い、
前記第１の制御部は、前記第１の機器の前記第１のネットワーク通信部から前記サーバに、前記第１の機器の前記入力部から入力された前記関連付けＩＤを送信させる処理を行い、
前記第１の機器の前記第１のネットワーク通信部及び／又は前記第２の機器の前記第２のネットワーク通信部が、前記第２の機器から受信した前記関連付けＩＤと前記第１の機器から受信した前記関連付けＩＤとが一致すると判断した前記サーバから送信された、前記関連付け情報を保有する処理が完了したことを通知する情報を受信する
ことを特徴とする情報処理システム。
【請求項１１】
前記第１の機器の前記送信部から前記第２の機器の前記受信部に対する情報の送信は、赤外線により行うことを特徴とする請求項１０に記載の情報処理システム。
【請求項１２】
前記第１の機器の前記第１のネットワーク通信部から前記サーバへの前記関連付けＩＤの送信は、前記第１の機器の前記第１のネットワーク通信部による前記サーバ自身のサイト又は前記サーバと共に関連付け確認処理を行うサイトへのアクセス画面を用いて行われる
ことを特徴とする請求項１０又は１１に記載の情報処理システム。
【請求項１３】
請求項７乃至１２のいずれか１項に記載の情報処理システムを構成する前記第１の機器と同じ構成を有する携帯機器。
【請求項１４】
請求項７乃至１２のいずれか１項に記載の情報処理システムを構成する前記第２の機器と同じ構成を有するネットワーク機器。
【発明の詳細な説明】
【技術分野】
【０００１】
本発明は、ネットワークに接続可能な複数の機器の関連付け情報を認証サーバに保有させるための情報処理方法、情報処理システム、携帯機器、及びネットワーク機器に関するものである。
【背景技術】
【０００２】
近年、携帯電話などの携帯機器によって音楽や動画番組などのコンテンツを購入するサービスや、ネットワーク接続機能を持つネットワーク機器（例えば、デジタルＴＶやブルーレイディスクレコーダーなどの家庭用のデジタルＡＶ機器）によって映像配信サービスを受けることが一般的となっている。携帯機器は、利用者が屋外を移動しているときであってもサービスを受けることができるという利点がある。一方、デジタルＡＶ機器のようなネットワーク機器は、利用者が家庭内で高品質の動画サービスを受けることに適しているという利点がある。したがって、ネットワーク上のサービス提供者の認証サーバが、携帯機器の利用者とデジタルＡＶ機器の利用者とが同一であることを認識できれば、携帯機器用のサービスとデジタルＡＶ機器用のサービスとを連携させて、同一利用者に付加価値が高く、利便性に優れたサービスを提供することが可能になる。このためには、特定の携帯機器と特定のネットワーク機器との間に関連があることを示す関連付け情報を、サービス提供者に保有させる必要がある。
【０００３】
このような要求に対する１つの解決策が、例えば、特許文献１に提案されている。この文献には、未認証端末（通信端末）が、サーバ（情報処理サーバ）が生成した認証用の画像データを受信して表示し、認証端末（携帯電話）が、表示された画像を撮影し、撮影画像と自身の認証情報とをサーバに送信することによって、サーバが、未認証端末と認証端末との間の関連付けを検出する方法が提案されている。
【先行技術文献】
【特許文献】
【０００４】
【特許文献１】特開２００５−７８３７１号公報（第７−８頁、図１、図２）
【発明の概要】
【発明が解決しようとする課題】
【０００５】
しかし、特許文献１に記載された方法では、未認証端末においてサーバからの画像の取得及び画像の表示のための操作が必要になり、認証端末において画像の撮影及び送信が必要になり、未認証端末及び認証端末の両方により多くの操作する必要がある。特に、未認証端末がデジタルＡＶ機器である場合には、リモコンなどのような簡素化されたユーザーインタフェースを用いて、複雑な操作を行うことが必要になる。このような操作は、利用者にとって手間がかかり、操作が複雑で難しいという問題がある。
【０００６】
また、特許文献１に記載された方法では、未認証端末には、認証用の画像を表示するためのディスプレイが必要であり、また、認証端末には、画像を撮影するためのカメラ機能が必要であるので、装置のコストアップにつながるという問題がある。
【０００７】
そこで、本発明は、上記従来技術の課題を解決するためになされたものであり、その目的は、構成の追加を極力少なくしつつ、簡単な操作で、複数の機器の関連付け情報を認証サーバに保有させることができる情報処理方法及び情報処理システム、並びに、該システムを構成する携帯機器及びネットワーク機器を提供することにある。
【課題を解決するための手段】
【０００８】
本発明に係る情報処理方法は、固有の第１の識別情報とメールアドレスとを記憶し、前記第１の識別情報と前記メールアドレスとを送信し、サーバとネットワークを経由して通信可能な第１の機器と、固有の第２の識別情報を記憶し、前記第１の機器から送信された情報を受信し、前記サーバとネットワークを経由して通信可能な第２の機器とを備えるシステムにおける、情報処理方法であって、前記第１の機器から前記第２の機器に、前記第１の識別情報と前記メールアドレスとを送信するステップと、前記第２の機器からネットワークを経由して前記サーバに、前記第１の識別情報と前記メールアドレスと前記第２の識別情報とを送信するステップと、前記第１の機器が、前記サーバからネットワークを経由して前記メールアドレスを宛先として送信された、前記第１の機器と前記第２の機器との関連付け確認のためのメールを受信するステップと、前記第１の機器が、ネットワークを経由して前記サーバ自身のサイト又は前記サーバと共に関連付け確認処理を行うサイトにアクセスし、前記サーバに対し、前記関連付け確認を示す情報を送信するステップと、前記第１の機器及び／又は前記第２の機器が、前記サーバから送信された、前記関連付け情報を保有する処理が完了したことを通知する情報を受信するステップとを有することを特徴とする。
【０００９】
本発明に係る他の情報処理方法は、固有の第１の識別情報とメールアドレスとを記憶し、前記第１の識別情報と前記メールアドレスとを送信し、サーバとネットワークを経由して通信可能な第１の機器と、固有の第２の識別情報を記憶し、前記第１の機器から送信された情報を受信し、前記サーバとネットワークを経由して通信可能な第２の機器とを備えるシステムにおける、情報処理方法であって、前記第１の機器から前記第２の機器に、前記第１の識別情報を送信するステップと、前記第２の機器が、前記第１の機器と前記第２の機器との関連付けを行うための処理を特定する関連付けＩＤを生成するステップと、前記第２の機器が、前記第１の識別情報と前記第２の識別情報と前記関連付けＩＤとをネットワークを経由して前記サーバに送信するステップと、前記第２の機器が、前記関連付けＩＤを前記第２の機器の表示器に表示するステップと、前記第１の機器から前記サーバに、前記第１の機器の入力部から入力された前記関連付けＩＤを送信するステップと、前記第１の機器及び／又は前記第２の機器が、前記第２の機器から受信した前記関連付けＩＤと前記第１の機器から受信した前記関連付けＩＤとが一致すると判断した前記サーバから送信された、前記関連付け情報を保有する処理が完了したことを通知する情報を受信するステップとを有することを特徴とする。
【発明の効果】
【００１０】
本発明によれば、第１及び第２の機器に関連があることを示す関連付け情報を、ネットワーク上のサーバに登録させるための、第１及び第２の機器による操作を簡単にすることができるという効果がある。また、本発明によれば、第２の機器が、第１の識別情報及び第２の識別情報をサーバに送信し、且つ、第１の機器が、サーバからのメールの受信又はサーバへの関連付けＩＤの送信を含む関連付け確認処理を行うことによって、関連付け情報をサーバに登録させているので、第１及び第２の機器のハードウェア構成を簡素にすることができるという効果がある。
【図面の簡単な説明】
【００１１】
【図１】本発明の実施の形態１及び２に係る情報処理システムを概略的に示すネットワーク構成図である。
【図２】実施の形態１における携帯機器及びネットワーク機器を概略的に示すブロック構成図である。
【図３】実施の形態１における携帯機器が保有するプログラムの通信に関する部分を示すソフトウェア構成図である。
【図４】実施の形態１におけるネットワーク機器が保有するプログラムの通信に関する部分を示すソフトウェア構成図である。
【図５】実施の形態１に係る情報処理方法（機器関連付け成功時）を概略的に示すシーケンス図である。
【図６】実施の形態１及び２における携帯機器に表示される機器関連付け開始操作用の画面例を示す図である。
【図７】実施の形態１における携帯機器に表示される機器関連付け確認用の受信メールの画面例を示す図である。
【図８】実施の形態１における携帯機器に表示される機器関連付け確認操作用の画面例を示す図である。
【図９】実施の形態１における携帯機器に表示される機器関連付け完了通知用の画面例を示す図である。
【図１０】実施の形態１に係る情報処理方法（機器関連付け失敗時）を概略的に示すシーケンス図である。
【図１１】実施の形態１及び２における携帯機器に表示される機器関連付け失敗通知用の画面例を示す図である。
【図１２】実施の形態１に係る情報処理方法（機器関連付け中止時）を概略的に示すシーケンス図である。
【図１３】実施の形態１及び２における携帯機器に表示される機器関連付け中止通知用の画面例を示す図である。
【図１４】実施の形態１に係る情報処理方法（携帯機器による機器関連付けＵＲＬアクセスが所定時間内に行われなかった場合の動作を含む）を概略的に示すシーケンス図である。
【図１５】実施の形態２における携帯機器及びネットワーク機器を概略的に示すブロック構成図である。
【図１６】実施の形態２における携帯機器が保有するプログラムの通信に関する部分を示すソフトウェア構成図である。
【図１７】実施の形態２に係る情報処理方法（機器関連付け成功時）を概略的に示すシーケンス図である。
【図１８】実施の形態２におけるネットワーク機器の表示器に表示されるメッセージの例を示す図である。
【図１９】実施の形態２における携帯機器に表示される機器関連付けＩＤ入力用の面例を示す図である。
【発明を実施するための形態】
【００１２】
実施の形態１．
図１は、本発明の実施の形態１に係る情報処理システム（すなわち、実施の形態１に係る情報処理方法を実施可能なシステム）を概略的に示すネットワーク構成図である。図１に示されるように、実施の形態１に係る情報処理システムは、ネットワークに接続可能な第１の機器の一例としての携帯機器１と、ネットワークに接続可能な第２の機器の一例としてのネットワーク機器２とを有するシステムである。
【００１３】
携帯機器１は、例えば、携帯電話である。携帯機器１は、サービス提供者（例えば、携帯電話会社）との間で課金についての取り決め（例えば、契約）がなされており、利用者（契約者）が特定可能な機器である。携帯機器１は、携帯電話以外の通信機器であってもよい。携帯機器１が携帯電話である場合には、携帯機器１は携帯電話網（図示せず）を経由してネットワーク（図１においては、第１のネットワーク４）に接続される。
【００１４】
ネットワーク機器２は、例えば、デジタルＴＶやブルーレイディスクレコーダーなどの家庭用のデジタルＡＶ機器である。ネットワーク機器２は、一般には、サービス提供者（例えば、映画などのコンテンツの提供者）との間で課金についての取り決めがなされていない機器である。ネットワーク機器２は、ルーター（図示せず）などを経由して第２のネットワーク５（例えば、インターネット）に接続されている。
【００１５】
認証サーバ６は、ネットワークを経由してコンテンツを提供するプロバイダのサーバである。認証サーバ６は、携帯機器１とネットワーク（例えば、第２のネットワーク５及び第１のネットワーク４）を経由して通信可能であり、また、ネットワーク機器２とネットワーク（例えば、第２のネットワーク５）を経由して通信可能である。
【００１６】
図２は、実施の形態１における携帯機器１及びネットワーク機器２を概略的に示すブロック構成図である。図２に示されるように、携帯機器１は、主要な構成要素として、ＣＰＵ１０と、プログラム格納装置１１と、第１の記憶部の一例としてのデータ記憶装置１２と、第１のネットワーク通信部の一例としてのネットワーク通信部１３と、送信部の一例としての赤外線送信部１４と、キー入力制御部１５と、入力キー１６と、表示制御部１７と、表示装置１８とを有している。プログラム格納装置１１は、携帯機器１を制御するためのプログラムを格納する不揮発メモリなどから構成される記憶装置である。プログラム格納装置１１に格納されているプログラムには、不図示のオペレーティングシステム（ＯＳ）、ハードウェアを制御するためのデバイスドライバ、ミドルウェア、及びアプリケーションソフトウェアが含まれる。ＣＰＵ１０は、プログラム格納装置１１からプログラムを読み出して実行することで携帯機器１を制御するプロセッサである。また、携帯機器１には、ランダムに読み書き可能なメモリから構成され、ＣＰＵ１０が処理を実行する際のワーク領域や、コンテンツデータを処理するために一時的に格納するためのバッファ領域に使用される格納領域（図示せず）が備えられている。データ記憶装置１２は、自身に固有の第１の識別情報（携帯機器ＩＤ）や自身のインターネットメールアドレスなどのデータを蓄積しておくための不揮発な記憶装置である。データ記憶装置１２は、例えば、ＨＤＤのような携帯機器１に内蔵のメディアであってもよく、また、不揮発メモリデバイス（半導体メモリ）であってもよい。ネットワーク通信部１３は、携帯機器１を第１のネットワーク４に接続するためのネットワークインターフェースである。赤外線送信部１４は、赤外線コードを送信するインターフェースである。赤外線送信部１４から送信される赤外線コードとしては、例えば、通常のリモコンコード、ＩｒＤＡ規格やＩｒＳｉｍｐｌｅ規格などの通信規格に準拠したコードを用いることができる。キー入力制御部１５は、利用者による入力キー１６の操作に応じて、携帯機器１のＣＰＵ１０にコマンドを入力する部分である。入力キー１６は、実際に利用者が操作する入力デバイスであり、例えば、キーボード、リモコンや携帯電話などの操作キー、マウスなどのポインティングデバイスなどが含まれる。また、入力キー１６は、表示装置１８に利用者が直接触れることで入力を行うタッチパネルであってもよい。表示制御部１７は、利用者に対してＧＵＩを提示するための表示を制御する部分であり、表示装置１８に対して文字、グラフィックス、画像データなどを表示させるための制御部である。表示装置１８は、例えば、液晶ディスプレイなどである。
【００１７】
また、ネットワーク機器２は、主要な構成要素として、ＣＰＵ２０と、プログラム格納装置２１、第２の記憶部の一例としてのデータ記憶装置２２と、第２のネットワーク通信部の一例としてのネットワーク通信部２３と、受信部の一例としての赤外線受信部２４とを有している。プログラム格納装置２１は、ネットワーク機器２を制御するためのプログラムを格納する不揮発メモリなどから構成される記憶装置である。プログラム格納装置２１に格納されているプログラムには、不図示のオペレーティングシステム（ＯＳ）、デバイスドライバ、ミドルウェア、及びアプリケーションソフトウェアが含まれる。ＣＰＵ２０は、プログラム格納装置２１からプログラムを読み出して実行することでネットワーク機器２を制御するプロセッサである。また、ネットワーク機器２には、ランダムに読み書き可能なメモリから構成され、ＣＰＵ２０が処理を実行する際のワーク領域や、コンテンツデータを処理するために一時的に格納するためのバッファ領域に使用される格納領域（図示せず）が備えられている。データ記憶装置２２は、自身に固有の第２の識別情報（ネットワーク機器ＩＤ）などのデータを蓄積しておくための不揮発な記憶装置である。データ記憶装置２２は、例えば、ＨＤＤのような装置に内蔵のメディアであってもよく、また、不揮発メモリデバイス（半導体メモリ）であってもよい。ネットワーク通信部２３は、ネットワーク機器２を第２のネットワーク５に接続するためのネットワークインターフェースである。赤外線受信部２４は、携帯機器１の赤外線送信部１４から送信される赤外線コードを受信できるインターフェースである。赤外線受信部２４で受信される赤外線コードは、例えば、通常のリモコンコード、ＩｒＤＡ規格やＩｒＳｉｍｐｌｅ規格などの通信規格に準拠したコードなどである。
【００１８】
図３は、実施の形態１における携帯機器１のプログラム格納装置１１に格納されているプログラムの通信に関する部分を示すソフトウェア構成図である。携帯機器１においては、第１のネットワーク４と通信する際のプロトコルに従ってデータパケットを送受信するためのＴＣＰ／ＩＰスタック３０の上位に、ＨＴＭＬ（Ｈｙｐｅｒ  Ｔｅｘｔ  Ｍａｒｋｕｐ  Ｌａｕｇｕａｇｅ）で記述されたＷｅｂページのデータを転送するためのＨＴＴＰ（Ｈｙｐｅｒｔｅｘｔ  Ｔｒａｎｓｆｅｒ  Ｐｒｏｔｏｃｏｌ）スタック３１が置かれており、そのＨＴＴＰスタック３１を利用してＷｅｂブラウザ３３が動作する。また、携帯機器１においては、ＴＣＰ／ＩＰスタック３０の上位にインターネットメールを受信するためのＩＭＡＰ４（Ｉｎｔｅｒｎｅｔ  Ｍｅｓｓａｇｅ  Ａｃｃｅｓｓ  Ｐｒｏｔｏｃｏｌ  ４）スタック３２が置かれており、そのＩＭＡＰ４スタックを利用して、メールクライアント３４が動作する。ＩＭＡＰ４スタック３２に代えて、メールを受信するためのサーバに応じて、同様な機能を持つ異なるプロトコル（例えば、ＰＯＰ３（Ｐｏｓｔ  Ｏｆｆｉｃｅ  Ｐｒｏｔｏｃｏｌ  ３）を用いてもよい。
【００１９】
図４は、実施の形態１におけるネットワーク機器２のプログラム格納装置２１に格納されているプログラムの通信に関する部分を示すソフトウェア構成図である。ネットワーク機器２においては、第２のネットワーク５と通信する際のプロトコルに従ってデータパケットを送受信するためのＴＣＰ／ＩＰスタック４０の上位にＨＴＴＰスタック４１が置かれており、そのＨＴＴＰスタック４１を利用してＨＴＴＰクライアント４２が動作する。
【００２０】
図５は、実施の形態１に係る情報処理システムの動作、すなわち、実施の形態１に係る情報処理方法（機器関連付け成功時）を概略的に示すシーケンス図である。図５に示されるように、利用者は、携帯機器１の赤外線送信部１４の赤外線ポートをネットワーク機器２の赤外線受信部２４に向けて、携帯機器１の入力キー１６を操作して、機器関連付け開始操作を行う（ステップＳ１００）。この場合の操作は、例えば、表示装置１８に表示されたＧＵＩに従って、携帯機器１の入力キー１６を押下するなどの操作である。図６に、携帯機器１の表示装置１８に表示される機器関連付け開始操作用のＧＵＩ画面の例を示す。利用者が入力キー１６を用いて、図６のＧＵＩ画面の「実行」ボタンを選択して確定する操作を行うことで、機器関連付け開始操作が完了する。
【００２１】
機器関連付け開始操作の結果、携帯機器１は、データ記憶装置１２から読み出した自身のインターネットメールアドレスと携帯機器ＩＤを含む関連付け情報を、赤外線送信部１４を介して、ネットワーク機器２に向けて赤外線通信により送信する（ステップＳ１０１）。この場合の携帯機器ＩＤは、認証サーバ６が機器の関連付けを行う際に、複数の携帯端末の中から特定の携帯端末を判別するために使用するＩＤである。携帯機器ＩＤは、例えば、認証サーバ６が携帯機器１に対して個別に割り当てたユニークなＩＤであってもよい。携帯機器１が携帯電話の場合には、携帯機器ＩＤとして、端末ＩＤや、ＳＩＭ（Ｓｕｂｓｃｒｉｂｅｒ  Ｉｄｅｎｔｉｔｙ  Ｍｏｄｕｌｅ）カードのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）などを利用することができる。
【００２２】
ネットワーク機器２は、赤外線受信部２４を介して携帯機器１からの関連付け情報を受信した後、受信した関連付け情報（携帯機器ＩＤ＋携帯機器１のメールアドレス）と、自身のネットワーク機器ＩＤを含んだ機器関連付け要求を、ネットワーク通信部２３を介して認証サーバ６に送信する（ステップＳ１０２）。機器関連付け要求をＨＴＴＰによって送信する場合を例として説明すると、機器関連付け要求は、ネットワーク機器２のＣＰＵ２０がプログラム格納装置２１から読み出したＨＴＴＰクライアント４２のプログラムを実行することで、ＨＴＴＰスタック４１からＴＣＰ／ＩＰスタック４０を経由してＨＴＴＰ−ＰＯＳＴのメッセージとして送信される。この場合のネットワーク機器ＩＤは、認証サーバ６が機器の関連付けを行う際に、複数のネットワーク機器の中から特定のネットワーク機器を判別するために使用するＩＤであり、例えば、認証サーバ６がネットワーク機器２に対して個別に割り当てたユニークなＩＤであってもよい。ネットワーク機器ＩＤとしては、ネットワーク機器に一般的に割り当てられているユニークな番号、例えば、ＭＡＣ（Ｍｅｄｉａ  Ａｃｃｅｓｓ  Ｃｏｎｔｒｏｌ）アドレスなどを利用してもよい。
【００２３】
認証サーバ６は、ネットワーク機器２からの機器関連付け要求を受信すると、機器関連付け要求に含まれている機器関連付け情報から携帯機器１のインターネットメールアドレスを取得して、携帯機器１に対して機器関連付け確認メールを送信する（ステップＳ１０３）。この確認メール中には、関連付けの確認を行うためのＵＲＬ（Ｕｎｉｆｏｒｍ  Ｒｅｓｏｕｒｃｅ  Ｌｏｃａｔｏｒ）が含まれる。携帯機器１は、ＣＰＵ１０がプログラム格納装置１１から読み出したメールクライアント３４のプログラムを実行することで、ＩＭＡＰ４スタック３２を起動し、ＴＣＰ／ＩＰスタック３０を介して、ネットワーク通信部１３を経由して、不図示のメールサーバに対して、メール着信の有無を確認するメッセージを送信する。認証サーバ６から送信された機器関連付け確認メールが存在する場合は、携帯機器１は、メールを受信する。図７に、携帯機器１に表示される機器関連付け確認用の受信メール（すなわち、受信された確認メール）の画面例を示す。図７に示されるＵＲＬの例は、認証サーバ６の特定のリソースを示すものであるが、必ずしも認証サーバ６上のリソースである必要はない。
【００２４】
利用者は、携帯機器１が受信した機器関連付け確認メールを開き、Ｗｅｂブラウザ３３を起動して、メール中に含まれている関連付けの確認を行うためのＵＲＬにアクセスするための操作をする（ステップＳ１０４）。具体的に言えば、利用者は、図７に示されるような受信メール画面を用いてメールを閲覧した上で、入力キー１６を用いて表示画面の本文中にリンクされているＵＲＬ（例えば、図７における「ｈｔｔｐ：／／ａｂｃ．ｃｏｍ／ｘｙｚ．ｈｔｍｌ」）をフォーカスした上で「決定」キー又は「Ｅｎｔｅｒ」キー又はこれらに相当するキー（図示せず）を操作する。
【００２５】
携帯機器１は、ＣＰＵ１０がプログラム格納装置１１から読み出したＷｅｂブラウザ３３のプログラムを実行することで、ＨＴＴＰスタック３１を起動し、ＴＣＰ／ＩＰスタック３０を介して、ネットワーク通信部１３を経由して、認証サーバ６に対して、関連付けの確認を行うためのＵＲＬに対して、ＨＴＴＰ−ＧＥＴのメッセージを送信する（ステップＳ１０５）。
【００２６】
ＨＴＴＰ−ＧＥＴのメッセージを受信した認証サーバ６は、ＨＴＭＬ形式の機器関連付け確認画面をＨＴＴＰ−ＧＥＴのレスポンスとして携帯機器１に対して送信する（ステップＳ１０６）。携帯機器１は、ネットワーク通信部１３から機器関連付け確認画面を受信する。ＣＰＵ１０は、Ｗｅｂブラウザ３３のプログラムを実行し、ＨＴＴＰスタック３１とＴＣＰ／ＩＰスタック３０を介して機器関連付け確認画面を取得した上で、表示制御部１７を介して、表示装置１８に、機器関連付け確認画面を表示する。図８に、携帯機器１の表示装置１８に表示される機器関連付け確認操作用の画面例を示す。
【００２７】
利用者は、機器関連付け確認操作を行う（ステップＳ１０７）。具体的には、利用者は、表示装置１８に表示された、図８に示すような機器関連付け確認画面を見ながら、入力キー１６を用いて「はい」のボタンを選択して、確定する操作を行うことで機器関連付け確認操作が完了する。携帯機器１は、ステップＳ１０８でＣＰＵ１０がＷｅｂブラウザ３３のプログラムを実行し、ＨＴＴＰスタック３１とＴＣＰ／ＩＰスタック３０を介してネットワーク通信部１３から認証サーバ６に対して、機器関連付け確認イベントを送信する（ステップＳ１０８）。この場合の機器関連付け確認イベントの送信には、ＨＴＴＰ−ＰＯＳＴメッセージなどを用いる。
【００２８】
認証サーバ６は、機器関連付け確認イベントを受信したときに、ステップＳ１０２において受信した機器間連付け要求に含まれている携帯機器１の携帯機器ＩＤとネットワーク機器２のネットワーク機器ＩＤに関連付けを行い、データベース化する（ステップＳ１０９）。以降は、このデータベースを参照することで、携帯機器１とネットワーク機器２の間に関連があることを確認することができる。
【００２９】
認証サーバ６は、データベースを作成した後に、ネットワーク機器２に対して、機器関連付け完了応答をステップＳ１０２で受信したＨＴＴＰ−ＰＯＳＴのレスポンスとして送信する（ステップＳ１１０）。ネットワーク機器２は、ネットワーク通信部２３から機器関連付け完了応答を受信する。ＣＰＵ２０がＨＴＴＰクライアント４２のプログラムを実行し、ＨＴＴＰスタック４１とＴＣＰ／ＩＰスタック４０を介して機器関連付け完了応答を取得した上で、その応答の内容が機器関連付けを正常に行われたことを示す場合、データ記憶装置２２に、自身（ネットワーク機器２）と携帯機器１が関連付けられていることを記憶する。
【００３０】
その後、認証サーバ６は、携帯機器１に対して、機器関連付け完了画面をステップＳ１０８で受信したＨＴＴＰ−ＰＯＳＴのレスポンスとして送信する（ステップＳ１１１）。携帯機器１は、ネットワーク通信部１３で機器関連付け完了画面を受信する。携帯機器１のＣＰＵ１０がＷｅｂブラウザ３３のプログラムを実行し、ＨＴＴＰスタック３１とＴＣＰ／ＩＰスタック３０を介して機器関連付け完了画面を取得した上で、表示制御部１７を介して、表示装置１８に、機器関連付け完了画面を表示する。図９に、携帯機器１の表示装置１８に表示される機器関連付け完了通知用の画面例を示す。携帯機器１は、機器関連付け完了画面の表示と並行して、データ記憶装置１２に、自身（携帯機器１）とネットワーク機器２が関連付けられていることを記憶する。この時点で利用者は、携帯機器１とネットワーク機器２の関連付けが完了したことを知ることができる。なお、ステップＳ１１０及びＳ１１１の処理は、必ずしも両方の処理が必要ではなく、いずれか一方の処理を行ってもよい。
【００３１】
図１０は、実施の形態１に係る情報処理方法（機器関連付け失敗時）を概略的に示すシーケンス図である。図１０の動作シーケンスは、ステップＳ１０９における関連付けに失敗した場合を示している。何らかの要因で、関連付けに失敗した場合は、認証サーバ６は、データベースを更新せずに、ネットワーク機器２に対して、機器関連付け失敗応答をステップＳ１０２で受信したＨＴＴＰ−ＰＯＳＴのレスポンスとして送信する（ステップＳ１１０ｂ）。ネットワーク機器２は、ネットワーク通信部２３で機器関連付け失敗応答を受信する。ネットワーク機器２のＣＰＵ２０が、ＨＴＴＰクライアント４２のプログラムを実行し、ＨＴＴＰスタック４１とＴＣＰ／ＩＰスタック４０を介して機器関連付け失敗応答を取得した上で、その応答の内容が機器関連付けを正常に行われなかったことを示すことを認識した場合には、ＣＰＵ２０は、データ記憶装置２２に、自身（ネットワーク機器２）と携帯機器１が関連付けられていること（すなわち、認証サーバ６によってネットワーク機器２と携帯機器１が関連付けられていること）を記憶させない。また、ＣＰＵ２０は、履歴として関連付けに失敗したことを示す情報をデータ記憶装置２２に記憶させてもよい。
【００３２】
また、認証サーバ６は、携帯機器１に対して、機器関連付け失敗画面をステップＳ１０８で受信したＨＴＴＰ−ＰＯＳＴのレスポンスとして送信する（ステップＳ１１１ｂ）。携帯機器１は、ネットワーク通信部１３で機器関連付け失敗画面を受信する。携帯機器１のＣＰＵ１０がＷｅｂブラウザ３３のプログラムを実行し、ＨＴＴＰスタック３１とＴＣＰ／ＩＰスタック３０を介して機器関連付け失敗画面を取得した上で、表示制御部１７を介して、表示装置１８に、機器関連付け失敗画面を表示する。図１１に、携帯機器１の表示装置１８に表示される機器関連付け失敗通知用の画面例を示す。また、携帯機器１のＣＰＵ１０は、データ記憶装置１２に、自身（携帯機器１）とネットワーク機器２が関連付けられていること（すなわち、認証サーバ６によって携帯機器１とネットワーク機器２が関連付けられていること）を記憶させない。また、携帯機器１のＣＰＵ１０は、履歴として関連付けに失敗したことを示す情報をデータ記憶装置１２に記憶させてもよい。利用者は、図１１の表示画面を見た時点で、携帯機器１とネットワーク機器２の関連付けが失敗したことを知ることができる。
【００３３】
図１２は、実施の形態１に係る情報処理方法（機器関連付け中止時）を概略的に示すシーケンス図である。図１２は、実施の形態１の動作のシーケンスにおいて、図５のステップＳ１０７の操作ではなく、ステップＳ１０７ｃに示される関連付け中止操作をした場合を示している。図１２に示されるように、利用者が、機器関連付け中止操作を行うときには（ステップＳ１０７ｃ）、利用者は、表示装置１８に表示された、図８に示される機器関連付け確認画面を見ながら、入力キー１６を用いて「いいえ」のボタンを選択して、確定する操作を行うことで機器関連付け中止操作を行う。携帯機器１は、ＣＰＵ１０がＷｅｂブラウザ３３のプログラムを実行し、ＨＴＴＰスタック３１とＴＣＰ／ＩＰスタック３０を介してネットワーク通信部１３から認証サーバ６に対して、機器関連付け中止イベントを送信する（ステップＳ１０８ｃ）。この場合の機器関連付け中止イベントは、ＨＴＴＰ−ＰＯＳＴメッセージなどを用いる。
【００３４】
認証サーバ６は、機器関連付け中止イベントを受信したときに、機器関連付けを中止して（ステップＳ１０９ｃ）、ネットワーク機器２に対して、機器関連付け中止応答をステップＳ１０２で受信したＨＴＴＰ−ＰＯＳＴのレスポンスとして送信する（ステップＳ１１０ｃ）。ネットワーク機器２は、ネットワーク通信部２３で機器関連付け中止応答を受信する。ネットワーク機器２のＣＰＵ２０がＨＴＴＰクライアント４２のプログラムを実行し、ＨＴＴＰスタック４１とＴＣＰ／ＩＰスタック４０を介して機器関連付け中止応答を取得した上で、その応答の内容が、機器関連付けが中止されたことを示す場合、関連付け処理を中止する。この場合、ＣＰＵ２０履歴として関連付けに失敗したことを示す情報をデータ記憶装置２２に記憶させてもよい。
【００３５】
また、認証サーバ６は、携帯機器１に対して、機器関連付け中止画面をステップＳ１０８ｃで受信したＨＴＴＰ−ＰＯＳＴのレスポンスとして送信する（ステップＳ１１１ｃ）。携帯機器１は、ネットワーク通信部１３で機器関連付け中止画面を受信する。携帯機器１のＣＰＵ１０がＷｅｂブラウザ３３のプログラムを実行し、ＨＴＴＰスタック３１とＴＣＰ／ＩＰスタック３０を介して機器関連付け中止画面を取得した上で、表示制御部１７を介して、表示装置１８に、機器関連付け中止画面を表示させ、また、関連付け処理を中止する。図１３に、携帯機器１の表示装置１８に表示される機器関連付け中止通知用の画面例を示す。また、携帯機器１のＣＰＵ１０は、履歴として関連付けに失敗したことを示す情報をデータ記憶装置２２に記憶させてもよい。利用者は、図１３の表示画面を見た時点で、携帯機器１とネットワーク機器２の関連付けが中止されたことを知ることができる。
【００３６】
図１４は、実施の形態１に係る情報処理方法（携帯機器による機器関連付けＵＲＬアクセスが所定時間内に行われなかった場合の動作を含む）を概略的に示すシーケンス図である。ステップＳ１０３で、認証サーバ６が携帯機器１に対して機器関連付け確認メールを送信したにもかかわらず、利用者がメールに気が付かずに、ステップＳ１０４のブラウザ起動を所定時間内に行わないことが考えられる。図１４は、このような場合の動作のシーケンスを示している。認証サーバ６が、携帯機器１に対して機器関連付け確認メールを送信して（ステップＳ１０３）から、所定の時間待っても携帯機器１がステップＳ１０５の機器関連付け確認ＵＲＬへのアクセスを行わない場合、認証サーバ６は、ネットワーク機器２に対して、ステップＳ１０２で受信したＨＴＴＰ−ＰＯＳＴのレスポンスとして機器関連付け受付応答を送信する（ステップＳ１０３−２）。具体的な例では、認証サーバ６は、レスポンスコード２０２  Ａｃｃｅｐｔｅｄを返す方法がある。ネットワーク機器２は、ネットワーク通信部２３で機器関連付け受付応答を受信する。ネットワーク機器２のＣＰＵ２０がＨＴＴＰクライアント４２のプログラムを実行し、ＨＴＴＰスタック４１とＴＣＰ／ＩＰスタック４０を介して機器関連付け受付応答を取得した上で、認証サーバ６に対して、機器関連付け完了通知要求をＨＴＴＰ−ＰＯＳＴとして送信する（ステップＳ１０３−３）。この後、所定の時間待っても、携帯機器１がステップＳ１０５の機器関連付け確認ＵＲＬへのアクセスを行わない場合、認証サーバ６はステップＳ１０３−２及びＳ１０３−３の処理を繰り返す。利用者がステップＳ１０４のブラウザ起動を行った後のシーケンスは、図５で示した場合と同様であるが、ステップＳ１１０で認証サーバ６からネットワーク機器２に対して送信される機器関連付け完了応答は、ステップＳ１０３−３でネットワーク機器２から認証サーバ６に送信されたＨＴＴＰ−ＰＯＳＴへの応答となる。
【００３７】
なお、上記説明においては、携帯機器１とネットワーク機器２の間の通信において赤外線による近距離通信を使用する例について説明してきたが、携帯機器１とネットワーク機器２の間の通信方式として赤外線以外の方式、例えば、無線ＬＡＮ、Ｂｌｕｅｔｏｏｔｈ、ＷｉｒｅｌｅｓｓＵＳＢなどの無線による方式や、ＦｅｌｉＣａ（登録商標）などの非接触ＩＣカード方式を用いてもよい。
【００３８】
実施の形態１に係る情報処理方法及び情報処理システムによれば、利用者が携帯機器１の画面のみを見ながら携帯機器１の入力キー１６を操作して、機器の関連付け操作を行うように構成したため、利用者にとって手間が少ない簡単な操作で機器の関連付けを行うことができるという効果がある。
【００３９】
また、実施の形態１に係る情報処理方法及び情報処理システムにおいては、ネットワーク機器２に表示器が不要なため、表示器を追加することによるコストアップを防ぐことができるという効果がある。
【００４０】
実施の形態２．
図１５は、本発明の実施の形態２における携帯機器１ａ及びネットワーク機器２ａを概略的に示すブロック構成図である。図１５において、図２の構成と同一又は対応する構成には、同じ符号を付す。実施の形態２における携帯機器１ａは、プログラム格納装置１１ａに格納されているプログラムの内容が、実施の形態１における携帯機器１のプログラム格納装置１１に格納されているプログラムの内容と異なる。また、実施の形態２におけるネットワーク機器２ａは、表示制御部２５及び表示器２６を備えた点、及び、プログラム格納装置２１ａに格納されているプログラムの内容が、実施の形態１におけるネットワーク機器２と異なる。表示制御部２５は、利用者に対して情報の提示するための表示を制御する部分であり、表示器２６に対して文字などの表示を行う。表示器２６は、例えば、簡易的な液晶ディスプレイや７セグメントのＬＥＤなどである。なお、表示制御部２５及び表示器２６は、携帯機器１ａにおける表示制御部１７と表示装置１８と同様に、文字、グラフィックス、画像データなどを表示可能な構成であってもよい。
【００４１】
図１６は、実施の形態２における携帯機器１ａのプログラム格納装置１１ａに格納されているプログラムの内、通信に関連する部分の構成を示すソフトウェア構成図である。図１６には、実施の形態１の図３に示すソフトウェア構成から、ＩＭＡＰ４スタック３２及びメールクライアント３４を削除したソフトウェア構成が示されている。携帯機器１ａにおいては、第１のネットワーク４と通信する際のプロトコルに従ってデータパケットを送受信するためのＴＣＰ／ＩＰスタック３０の上位に、ＨＴＭＬ（Ｈｙｐｅｒ  Ｔｅｘｔ  Ｍａｒｋｕｐ  Ｌａｕｇｕａｇｅ）で記述されたＷｅｂページのデータを転送するためのＨＴＴＰ（Ｈｙｐｅｒｔｅｘｔ  Ｔｒａｎｓｆｅｒ  Ｐｒｏｔｏｃｏｌ）スタック３１が置かれており、そのＨＴＴＰスタック３１を利用してＷｅｂブラウザ３３が動作する。
【００４２】
図１７は、実施の形態２に係る情報処理システムの動作、すなわち、実施の形態２に係る情報処理方法（機器関連付け成功時）を概略的に示すシーケンス図である。図１７に示されるように、利用者は、携帯機器１ａの赤外線送信部１４の赤外線ポートをネットワーク機器２ａの赤外線受信部２４に向けて、携帯機器１ａの入力キー１６を操作して、機器関連付け開始操作を行う（ステップＳ２００）。この場合の操作は、例えば、表示装置１８に表示されたＧＵＩに従って、携帯機器１ａの入力キー１６を押下するなどである。この場合のＧＵＩ画面の一例が、図６に示されている。利用者が入力キー１６を用いて、図６のＧＵＩ画面の「実行」ボタンを選択して確定する操作を行うことで、機器関連付け開始操作が完了する。
【００４３】
機器関連付け開始操作の結果、携帯機器１ａは、データ記憶装置１２から読み出した自身の携帯機器ＩＤを含んだ関連付け情報を、赤外線送信部１４を介して、ネットワーク機器２ａに向けて赤外線通信により送信する（ステップＳ２０１）。この場合の携帯機器ＩＤは、認証サーバ６が機器の関連付けを行う際に、複数の携帯端末の中から特定の携帯端末を判別するために使用するＩＤである。携帯機器ＩＤは、例えば、認証サーバ６が携帯機器１ａに対して個別に割り当てたユニークなＩＤであってもよい。携帯機器１ａが携帯電話の場合には、携帯機器ＩＤとして、端末ＩＤや、ＳＩＭカードのＩＭＳＩなどを利用することができる。
【００４４】
ネットワーク機器２ａは、赤外線受信部２４を介して携帯機器１ａからの携帯機器ＩＤを受信した後、受信した携帯機器ＩＤと、自身のネットワーク機器ＩＤを含んだ機器関連付け要求を、ネットワーク通信部２３を介して認証サーバ６に送信する（ステップＳ２０２）。機器関連付け要求をＨＴＴＰによって送信する場合には、機器関連付け要求は、ネットワーク機器２ａのＣＰＵ２０がプログラム格納装置２１ａから読み出したＨＴＴＰクライアント４２のプログラムを実行することで、ＨＴＴＰスタック４１からＴＣＰ／ＩＰスタック４０を経由してＨＴＴＰ−ＰＯＳＴのメッセージとして送信される。この場合のネットワーク機器ＩＤは、認証サーバ６が機器の関連付けを行う際に、複数のネットワーク機器の中から特定のネットワーク機器を判別するために使用するＩＤであり、例えば、認証サーバ６がネットワーク機器２ａに対して個別に割り当てたユニークなＩＤであってもよい。ネットワーク機器ＩＤとしては、ネットワーク機器に一般的に割り当てられているユニークな番号、例えば、ＭＡＣアドレスなどを利用してもよい。また、この場合の関連付けＩＤは、ネットワーク機器２ａが生成した一時的なＩＤであり、乱数を用いたり、自身のネットワーク機器ＩＤをもとにしたハッシュ演算などを行って生成したりするものであってもよい。
【００４５】
認証サーバ６は、ネットワーク機器２ａからの機器関連付け要求を受信すると、ネットワーク機器２ａに対して機器関連付け受諾応答を送信する（ステップＳ２０３）。この機器関連付け受諾応答は、認証サーバ６がステップＳ２０２で受信したＨＴＴＰ−ＰＯＳＴの応答として送信される。ネットワーク機器２ａは、ネットワーク通信部２３で機器関連付け受諾応答を受信する。ネットワーク機器２ａのＣＰＵ２０がＨＴＴＰクライアント４２のプログラムを実行し、ＨＴＴＰスタック４１とＴＣＰ／ＩＰスタック４０を介して機器関連付け受諾応答を取得し、ＨＴＴＰクライアント４２のプログラムを実行し、ＨＴＴＰスタック４１とＴＣＰ／ＩＰスタック４０を介して認証サーバ６に対して機器関連付け完了通知要求をＨＴＴＰ−ＰＯＳＴとして送信する（ステップＳ２０４）。その後、ネットワーク機器２ａは、表示制御部２５を介して、表示器２６に、機器関連付け操作を利用者に対して促すメッセージと、ステップＳ２０２で生成した関連付けＩＤを表示する（ステップＳ２０５）。図１８に、ネットワーク機器２ａの表示器２６に表示されるメッセージの例を示す。図１８の例では、関連付けＩＤが「１２３ＡＢＣ５６７」であることが表示されている。なお、表示器２６の表示文字数に制約がある場合は、スクロールなどの方法で利用者がメッセージ全文を判読できるように表示する。
【００４６】
利用者は、携帯機器１ａのＷｅｂブラウザ３３を起動して、関連付けの確認を行うためのＵＲＬにアクセスするための操作をする（ステップＳ２０６）。この場合、利用者は、関連付けの確認を行うためのＵＲＬを予め知っているものとする。利用者は、直接ＵＲＬを入力するか、既に登録されているブックマークを選ぶなどの操作を行う。
【００４７】
携帯機器１ａは、ＣＰＵ１０がプログラム格納装置１１ａから読み出したＷｅｂブラウザ３３のプログラムを実行することで、ＨＴＴＰスタック３１を起動し、ＴＣＰ／ＩＰスタック３０を介して、ネットワーク通信部１３を経由して、認証サーバ６に対して、関連付けの確認を行うためのＵＲＬに対して、ＨＴＴＰ−ＧＥＴのメッセージを送信する（ステップＳ２０７）。
【００４８】
ＨＴＴＰ−ＧＥＴのメッセージを受信した認証サーバ６は、ＨＴＭＬ形式の機器関連付け確認画面をＨＴＴＰ−ＧＥＴのレスポンスとして携帯機器１ａに対して送信する（ステップＳ２０８）。携帯機器１ａは、ネットワーク通信部１３から機器関連付け確認画面を受信する。ＣＰＵ１０は、Ｗｅｂブラウザ３３のプログラムを実行し、ＨＴＴＰスタック３１とＴＣＰ／ＩＰスタック３０を介して機器関連付け確認画面を取得した上で、表示制御部１７を介して、表示装置１８に、機器関連付け確認画面を表示する。図１９に、携帯機器１ａの表示装置１８に表示される機器関連付けＩＤ入力用の画面例を示す。
【００４９】
利用者は、機器関連付け確認操作を行う（ステップＳ２０９）。具体的には、利用者は表示装置１８に表示された、図１９に示すような機器関連付け確認画面を見ながら、入力キー１６を用いて関連付けＩＤをフォームに入力した後、「確定」のボタンを選択して、確定する操作を行うことで機器関連付け確認操作が完了する。携帯機器１ａは、ステップＳ２１０でＣＰＵ１０がＷｅｂブラウザ３３のプログラムを実行し、ＨＴＴＰスタック３１とＴＣＰ／ＩＰスタック３０を介してネットワーク通信部１３から認証サーバ６に対して、利用者が入力した関連付けＩＤを含んだ機器関連付け確認イベントを送信する（ステップＳ２１０）。この場合の機器関連付け確認イベントは、ＨＴＴＰ−ＰＯＳＴメッセージなどを用いる。
【００５０】
認証サーバ６は、機器関連付け確認イベントを受信したときに、利用者が入力した関連付けＩＤと、ステップＳ２０２の段階で受信した関連付けＩＤとを照合し、両者が一致した場合は、機器間連付け要求に含まれている携帯機器１ａの携帯機器ＩＤとネットワーク機器２ａのネットワーク機器ＩＤに関連付けを行い、データベース化する（ステップＳ２１１）。以降は、このデータベースを参照することで、携帯機器１ａとネットワーク機器２ａの間に関連があることを確認することができる。
【００５１】
認証サーバ６は、データベースを作成した後に、ネットワーク機器２ａに対して、機器関連付け完了応答をステップＳ２０４で受信したＨＴＴＰ−ＰＯＳＴのレスポンスとして送信する（ステップＳ２１２）。ネットワーク機器２ａは、ネットワーク通信部２３から機器関連付け完了応答を受信する。ＣＰＵ２０がＨＴＴＰクライアント４２のプログラムを実行し、ＨＴＴＰスタック４１とＴＣＰ／ＩＰスタック４０を介して機器関連付け完了応答を取得した上で、その応答の内容が機器関連付けを正常に行われたことを示す場合、データ記憶装置２２に、自身（ネットワーク機器２ａ）と携帯機器１ａが関連付けられていることを記憶する。
【００５２】
その後、認証サーバ６は、携帯機器１ａに対して、機器関連付け完了画面を受信したＨＴＴＰ−ＰＯＳＴのレスポンスとして送信する（ステップＳ２１３）。携帯機器１ａは、ネットワーク通信部１３で機器関連付け完了画面を受信する。携帯機器１ａのＣＰＵ１０がＷｅｂブラウザ３３のプログラムを実行し、ＨＴＴＰスタック３１とＴＣＰ／ＩＰスタック３０を介して機器関連付け完了画面を取得した上で、表示制御部１７を介して、表示装置１８に、機器関連付け完了画面を表示する。このときの、機器関連付け完了画面の例は、図９に示される。携帯機器１ａは、機器関連付け完了画面の表示と並行して、データ記憶装置１２に、自身（携帯機器１ａ）とネットワーク機器２ａが関連付けられていることを記憶する。この時点で利用者は、携帯機器１ａとネットワーク機器２ａの関連付けが完了したことを知ることができる。なお、ステップＳ２１２及びＳ２１３の処理は、必ずしも両方の処理が必要ではなく、いずれか一方の処理を行ってもよい。
【００５３】
ステップＳ２１１で関連付けに失敗した場合の動作、及びステップＳ２０９で利用者が関連付けを中止した場合についての動作は、実施の形態１の場合（図１０及び図１２の場合）と同様である。また、ステップＳ２０５で、ネットワーク機器２ａが、機器関連付け操作を利用者に対して促すメッセージを表示したにもかかわらず、利用者がブラウザ起動（ステップＳ２０６）を行わない場合は、ステップＳ２０３及びＳ２０４の処理が繰り返される。この繰り返しを所定回数行っても、又は、所定時間経過しても、利用者がブラウザ起動（ステップＳ２０６）を行わない場合には、機器関連付けを中止するようにしてもよい。
【００５４】
なお、実施の形態２では、携帯機器１ａとネットワーク機器２ａの間の通信において赤外線による通信を使用する例について説明してきたが、この通信方式として赤外線以外の方式、例えば、無線ＬＡＮ、Ｂｌｕｅｔｏｏｔｈ、ＷｉｒｅｌｅｓｓＵＳＢなどの無線による方式や、ＦｅｌｉＣａ（登録商標）などの非接触ＩＣカード方式を用いてもよい。
【００５５】
実施の形態２に係る情報処理方法及び情報処理システムによれば、利用者が携帯機器１ａの画面のみを見ながら携帯機器１ａの入力キーを操作して、機器の関連付け操作を行うように構成したことに加えて、ネットワーク機器２ａが生成した関連付けＩＤをネットワーク機器２ａの表示器２６に表示するように構成したため、実施の形態１の構成における効果に加えて、携帯機器１ａがメール受信機能を有していなくても機器関連付けを実現することができるという効果がある。
【００５６】
また、実施の形態２に係る情報処理方法及び情報処理システムにおいては、ネットワーク機器２ａの表示器２６は、数字や文字の組み合わせからなる関連付けＩＤを表示できる簡素な構成の表示器（例えば、デジタルＡＶ機器に装備されている放送チャンネルなどの表示器）であればよいので、ハードウェア構成の増加に伴うコストアップを防ぐことができるという効果がある。
【符号の説明】
【００５７】
１，１ａ  携帯機器、  ２，２ａ  ネットワーク機器、  ４  第１のネットワーク、  ５  第２のネットワーク、  ６  認証サーバ、  １０  携帯機器のＣＰＵ、  １１，１１ａ  携帯機器のプログラム格納装置、  １２  携帯機器のデータ記憶装置、  １３  携帯機器のネットワーク通信部、  １４  携帯機器の赤外線送信部、  １５  携帯機器のキー入力制御部、  １６  携帯機器の入力キー、  １７  携帯機器の表示制御部、  １８  携帯機器の表示装置、  ２０  ネットワーク機器のＣＰＵ、  ２１，２１ａ  ネットワーク機器のプログラム格納装置、  ２２  ネットワーク機器のデータ記憶装置、  ２３  ネットワーク機器のネットワーク通信部、  ２４  ネットワーク機器の赤外線受信部、  ２５  ネットワーク機器の表示制御部、  ２６  ネットワーク機器の表示器。
【図１】
2010282357.tif 000003
【図２】
2010282357.tif 000004
【図３】
2010282357.tif 000005
【図４】
2010282357.tif 000006
【図５】
2010282357.tif 000007
【図６】
2010282357.tif 000008
【図７】
2010282357.tif 000009
【図８】
2010282357.tif 000010
【図９】
2010282357.tif 000011
【図１０】
2010282357.tif 000012
【図１１】
2010282357.tif 000013
【図１２】
2010282357.tif 000014
【図１３】
2010282357.tif 000015
【図１４】
2010282357.tif 000016
【図１５】
2010282357.tif 000017
【図１６】
2010282357.tif 000018
【図１７】
2010282357.tif 000019
【図１８】
2010282357.tif 000020
【図１９】
2010282357.tif 000021